(57)【要約】【課題】突発的に起こる災害の際に、容易に飲料水を生成できると共に、様々な場所に容易に運搬可能な構成を有する、蒸留水生成装置の提供をすること。【解決手段】現地で入手可能な原水と、災害時に発生した廃材等を用いた熱源を利用する蒸留水生成装置であって、原水を加熱沸騰させる前記熱源を内包すると共に、水密性を備えた壁面に周囲を囲まれたかまどと、該かまどの周囲を囲む壁面を更に包みこむように配置された原水タンクと、を備え、前記原水タンクの上部には、前記原水が沸騰することによって発生した蒸気を前記原水タンクから外部に取り出すための蒸気取出口を有し、前記蒸気取出口には、ガイドパイプを連結し、前記ガイドパイプには、前記蒸気を冷却する冷却部材と、不純物を取り除くためのフィルタと、を有することを特徴とする、蒸留水生成装置。【選択図】図１
2015202459.tif 000002
【特許請求の範囲】
【請求項１】
災害地等において、現地で入手可能な原水と、災害時に発生した廃材等を用いた熱源を利用して、蒸留水を生成する為の蒸留水生成装置であって、
原水を加熱沸騰させる前記熱源を内包すると共に、水密性を備えた壁面に周囲を囲まれたかまどと、該かまどの周囲を囲む壁面を更に包みこむように配置された原水タンクと、を備え、
前記原水タンクの上部には、前記原水が沸騰することによって発生した蒸気を前記原水タンクから外部に取り出すための蒸気取出口を有し、
前記蒸気取出口には、ガイドパイプを連結し、
前記ガイドパイプには、前記蒸気を冷却し、前記蒸気を水へ相変化させるための冷却部材と、前記原水に元々含まれていた沸点の低い不純物や、蒸気から水へ相変化させる際に取り込んだ不純物を取り除くためのフィルタと、を有することを特徴とする、蒸留水生成装置。
【請求項２】
非使用時には、前記ガイドパイプと、前記冷却部材と、前記フィルタと、を取り外し、着火器材と共に、前記原水タンク、又は、前記かまどの内部に収納することができることを特徴とする、請求項１記載の蒸留水生成装置。
【請求項３】
前記原水タンクの下端には、移動用部材を備えていることを特徴とする、請求項１、又は２記載の蒸留水生成装置。
【発明の詳細な説明】
【技術分野】
【０００１】
本発明は、災害地等において、河川水等、現地で入手可能な原水と、災害時に発生した廃材等を用いた熱源を利用して、飲用に適した蒸留水を生成する為の蒸留水生成装置に関する。
【背景技術】
【０００２】
従来の蒸留水を生成する為の蒸留水生成装置は、鍋、釜に相当する原水を貯めるための貯水槽と、原水を加熱沸騰させるかまどに相当する加熱装置とが別々の状態で構成される大型設備が主体であり、様々な場所に蒸留水生成装置自体を運搬して使用するのは困難であった。
【０００３】
また、特許文献１に記載されているような従来の蒸留装置は、平常時においての使用を前提として開発されたものであって、飲用水以外の原水や電力以外の熱源を用いることができるものではなかった。そのため、突発的に起こる災害の際に、飲料水を得るために容易に使用できるものではなかった。
【先行技術文献】
【特許文献】
【０００４】
【特許文献１】特開平６−２６２１６６号公報
【発明の概要】
【発明が解決しようとする課題】
【０００５】
本発明は上記実情を基に開発されたもので、突発的に起こる災害の際にも、容易に飲料水を生成できると共に、様々な場所に容易に運搬可能な構成を有する、蒸留水生成装置の提供を目的としている。
【課題を解決するための手段】
【０００６】
前記の課題を解決するための本発明のうち請求項１記載の発明は、災害地等において、現地で入手可能な原水と、災害時に発生した廃材等を用いた熱源を利用して、蒸留水を生成する為の蒸留水生成装置であって、原水を加熱沸騰させる前記熱源を内包すると共に、水密性を備えた壁面に周囲を囲まれたかまどと、該かまどの周囲を囲む壁面を更に包みこむように配置された原水タンクと、を備え、前記原水タンクの上部には、前記原水が沸騰することによって発生した蒸気を前記原水タンクから外部に取り出すための蒸気取出口を有し、前記蒸気取出口には、ガイドパイプを連結し、前記ガイドパイプには、前記蒸気を冷却し、前記蒸気を水へ相変化させるための冷却部材と、前記原水に元々含まれていた沸点の低い不純物や、蒸気から水へ相変化させる際に取り込んだ不純物を取り除くためのフィルタと、を有することを特徴とする。
【０００７】
本発明のうち請求項２記載の発明は、非使用時には、前記ガイドパイプと、前記冷却部材と、前記フィルタと、を取り外し、着火器材と共に、前記原水タンク、又は、前記かまどの内部に収納することができることを特徴とする。
【０００８】
本発明のうち請求項３記載の発明は、前記原水タンクの下端には、移動用部材を備えていることを特徴とする。
【発明の効果】
【０００９】
本発明のうち請求項１記載の発明によれば、災害地等の現地で調達可能な原水と、災害時に発生した廃材等を用いた熱源を利用することで、突発的に起こる災害の際にも、容易に蒸留水を生成できる。また、原水に含まれる沸点の低い不純物や、原水を沸騰することによって発生した蒸気を水に相変化させる際に取り込まれた不純物を取り除くためのフィルタを備えることで、容易に飲用に適した蒸留水を得ることが可能である。
【００１０】
本発明のうち請求項２記載の発明によれば、非使用時には、前記ガイドパイプと、前記冷却部材と、前記フィルタと、を取り外し、着火器材と共に、前記原水タンク、又は、前記かまどの内部に収納することができるので、運搬が容易であると共に、使用する際には、即時に使用可能である。
【００１１】
本発明のうち請求項３記載の発明によれば、運搬がより容易なものとなる。
【図面の簡単な説明】
【００１２】
【図１】（イ）、（ロ）図は、本発明による蒸留水生成装置の正面透視図と、左側面透視図である。
【図２】本発明による蒸留水生成装置の各部品を装置内部に収納した非使用時の状態を示す、正面透視図である。
【図３】（イ）、（ロ）図は、本発明による蒸留水生成装置の原水タンク蓋の平面図であって、切込み蓋を取り外した状態と、取り付けた状態を示す、平面図である。
【発明を実施するための形態】
【００１３】
以下、この発明の実施の形態を図１、図２を参照して詳細に説明する。本発明の蒸留水生成装置１０は、図１に示すように、原水１００を加熱沸騰させる熱源２００を内包すると共に、水密性を備えた壁面に周囲を囲まれたかまど４０と、かまど４０の周囲を囲む壁面を、更に包みこむように配置された原水１００を貯めるための原水タンク２０と、を備えている。このような構成により、原水１００を均質に温めることが可能である。なお、原水１００としては、突発的に起こる災害の際にも容易に入手可能な雨水、河川水、湖沼の水、海水等を想定している。そして、熱源２００としては、災害時に発生した廃材等を燃焼させることで得られるものを想定している。そして、原水タンク２０の上部には、原水タンク蓋３０を載置している。
【００１４】
かまど４０は、図１、図２に示すように、その上部に煙道４３が設けられ、煙道４３は、原水タンク２０の上部に備えられた原水タンク蓋３０を貫通し、外部に熱源２００から発生する燃焼ガスなどを排気可能となっている。そして、本実施形態例ではかまど４０の入口にはかまど扉４１が備えられており、その全面には持ち手４２を有している。なお、煙道４３は、図２に示すように、非使用時には煙道蓋４４によって封じられるものである。
【００１５】
そして、原水タンク２０は、その下端には、図１、図２に示すように、キャスター等の移動用部材２３を備えており、このことにより、本発明の蒸留水生成装置１０は、容易に移動可能なものとなっている。
【００１６】
また、原水タンク２０の側面には、持ち手２１を備えると共に、原水１００を外部に放出するための排水口２２を備えている。なお、図１（イ）の示す実施形態例では、持ち手２１は、原水タンク２０の両側面の上部、排水口２２は、図１（イ）の正面視して左側面の下部に備えられているが、特に本発明を限定するものではない。
【００１７】
原水タンク蓋３０は、図３に示すように、煙道４３を嵌め込むことが可能なだけの径を有する切込み部を有すると共に、その切込み部の最奥部には、止め板３６が立設している。なお、切込み部は、煙道４３が貫通する箇所以外は切込み蓋３７を被せることにより閉じることが可能であり、この切込み部からは、防水袋にいれた食糧などを投入し、温めることも可能である。なお、切込み蓋３７は、煙道４３が嵌ることが可能なだけの凹部を有している。また、切込み蓋３７を原水タンク蓋３０に被せる際には、図３（ロ）に示すように、止め板３６に当接する。また、止め板３６は、煙道４３とも接しており、煙道４３の位置決めをする役割も持たせている。そして、その止め板３６の左右には、持ち手３５をそれぞれ有すると共に、原水１００が沸騰することによって発生した蒸気を原水タンク２０内から外部に取り出すための蒸気取出口３３と、原水１００を原水タンク２０内に注入するための注水孔３１を有している。そして、蒸気取出口３３には、ガイドパイプ５０が連結しており、原水１００が加熱沸騰して蒸気となった際には、その蒸気が蒸気取出口３３からガイドパイプ５０内に流通する。なお、蒸気取出口３３と注水孔３１は、図２に示すように、非使用時には蒸気取出口蓋３４と注水孔蓋３２によってそれぞれ封じられるものである。
【００１８】
そして、ガイドパイプ５０は、原水１００が加熱沸騰された際に発生する蒸気を冷却し、蒸気を水へ相変化させるための冷却部材５１と、原水１００に元々含まれていた沸点の低い不純物や、蒸気から水へ相変化させる際に取り込んだ不純物を取り除くためのフィルタ５２を有している。そのため、ガイドパイプ５０に流通した蒸気は、飲用に適した蒸留水３００となり、最終的には貯留タンク６０に溜まる。
【００１９】
なお、前記したガイドパイプ５０、貯留タンク６０、冷却部材５１、フィルタ５２は、非使用時には、それぞれ分解し、熱源２００に用いられる廃材等を燃焼する際に用いられる着火器材８０等と共に、密封防水袋７０にいれて、原水タンク２０、又は、かまど４０の内部に収納することが好ましい。このことにより、本発明の蒸留水生成装置１０の運搬が容易になると共に、使用する際には、即時に使用可能となる。
【００２０】
なお、上記開示された本発明の実施形態の構造は、あくまで例示である。本発明の技術的範囲は、特許請求の範囲の記載によって示されると共に、当該記載と均等と評価される技術的構成まで含むものである。
【符号の説明】
【００２１】
１０    蒸留水生成装置
２０    原水タンク
２１    持ち手
２２    排水口
２３    移動用部材
３０    原水タンク蓋
３１    注水孔
３２    注水孔蓋
３３    蒸気取出口
３４    蒸気取出口蓋
３５    持ち手
３６    止め板
３７    切込み蓋
３８    持ち手
４０    かまど
４１    かまど扉
４２    持ち手
４３    煙道
４４    煙道蓋
５０    ガイドパイプ
５１    冷却部材
５２    フィルタ
６０    貯留タンク
７０    密封防水袋
８０    着火器材
１００  原水
２００  熱源
３００  蒸留水
【図１】
2015202459.tif 000003
【図２】
2015202459.tif 000004
【図３】
2015202459.tif 000005